(57)【要約】【目的】  光学フィルターを着脱でき、清掃が容易であると同時に着脱に当たって表面が損傷することが無い防塵機能を有した光学フィルター装置を実現する。【構成】  撮影レンズの交換可能なマウントを有し、前記撮影レンズから入射する被写体光をアイレベルで観察可能にファインダー光学系を載置して成すデジタル一眼レフカメラのミラーボックスにおいて、当該ミラーボックス５のメインミラー６を保持する壁面と前記マウント３のマウント開口部の円弧で囲まれる半月状面５ｃ，５ｄに各々配設する穴５ｅ，５ｆに、フィルターユニット４に配設する複数の突起ピン４ｃ，４ｄを挿嵌することによって前記ミラーボックス５の前面開口を覆うように前記フィルターユニット４が密着構設できて防塵機能を有し、当該フィルターユニット４は前記マウント開口部から着脱可能とした。【選択図】図１
2006267749.tif 000002
【特許請求の範囲】
【請求項１】
撮影レンズの交換可能なマウントを有し、前記撮影レンズから入射する被写体光をアイレベルで観察可能にファインダー光学系を載置して成すデジタル一眼レフカメラのミラーボックスにおいて、当該ミラーボックスのメインミラーを保持する壁面と前記マウントのマウント開口部の円弧で囲まれる半月形前部面に配設する複数の穴に、フィルターユニットに配設する複数の突起ピンを挿嵌することによって前記ミラーボックスの前面開口を覆うように前記フィルターユニットが密着構設できて防塵機能を有し、当該フィルターユニットは前記マウント開口部から着脱可能であることを特徴とするデジタル一眼レフカメラのフィルター装置。
【発明の詳細な説明】
【技術分野】
【０００１】
本発明は、デジタルカメラ、特にレンズ交換可能なデジタル一眼レフカメラの防塵機能を有したフィルター装置に関する。
【背景技術】
【０００２】
従来の銀塩カメラにおけるフィルターの用途は被写体光の光量や色補正のために用いられ、撮影レンズに装着するのが一般であった。しかし、デジタルカメラではＣＣＤより成る固体撮像素子等が使用されるが、撮像素子の特性や分光感度特性を補正するためのローパスフィルターや赤外カットフィルター等の光学フィルターを装着する必要があり、撮像素子の直前に設置するのが一般的であった。
【０００３】
しかし、一眼レフカメラの場合、撮像素子の直前はフォーカルプレーンシャッターが配設されていて、フィルターを挿設する寸法的余裕が無いのが実状である。このため、特開２００１−２０３９１５号公報では光学フィルターをフォーカルプレーンシャッターとメインミラーとの間に配設する方法が提案され、撮像素子に対する光学的役割を果たしている。また、他の設置方法として特開平８−２６２５６４号公報では撮影レンズの後ろであって、メインミラーの前の空間位置に設置する方法が提案されている。
【特許文献１】特開２００１−２０３９１５号公報
【特許文献２】特開平８−２６２５６４号公報
【発明の開示】
【発明が解決しようとする課題】
【０００４】
しかしながら、上記特開２００１−２０３９１５号公報に開示の方法はミラーボックスの構成部品に付着している塵埃がメインミラーのクイックリターン動作によって発生する気流の影響や、レンズ交換時マウント開口部より侵入する塵埃などがフィルター面に付着し、画質に影響する問題に対してはフィルターの着脱に手間がかかることや、フィルター面の清掃が困難等の課題を残していた。
【０００５】
また、特開平８−２６２５６４号公報に開示の方法は従来の銀塩フィルム用一眼レフカメラの構造を変更することなく、様々な光学フィルターが使用可能となることを謳っているが具体的な設置方法が明確でない。
【０００６】
光学フィルターを設置した場合カメラ内空間の密閉性が高まり、撮影画像の画質に影響する塵埃がカメラ内部に侵入するのを防ぐ防塵機能があることが重要であり、万が一塵埃がフィルター面に付着した場合においても当該フィルターを着脱でき、清掃が容易であると同時に着脱に当たって表面が損傷することが無い防塵フィルター装置の実現が望まれていた。
【課題を解決するための手段】
【０００７】
本発明におけるデジタル一眼レフカメラのフィルター装置も光学フィルターの位置は特開平８−２６２５６４号公報に提案されているように撮影レンズの後ろであって、メインミラーの前の空隙に設置することが前記課題を解決するために必要であることから同じ主旨に沿っている。
【０００８】
具体的には、撮影レンズの交換可能なマウントを有し、前記撮影レンズから入射する被写体光をアイレベルで観察可能にファインダー光学系を載置して成すデジタル一眼レフカメラのミラーボックスにおいて、当該ミラーボックスのメインミラーを保持する壁面と前記マウントのマウント開口部の円弧で囲まれる半月形前部面に配設する複数の穴に、フィルターユニットに配設する複数の突起ピンを挿嵌することによって前記ミラーボックスの前面開口を覆うように前記フィルターユニットが密着構設できて防塵機能を有し、当該フィルターユニットは前記マウント開口部から着脱可能とした。
【発明の効果】
【０００９】
本発明は撮影レンズの交換可能なマウントを有し、前記撮影レンズから入射する被写体光をアイレベルで観察可能にファインダー光学系を載置して成すデジタル一眼レフカメラのミラーボックスにおいて、当該ミラーボックスのメインミラーを保持する壁面と前記マウントのマウント開口部の円弧で囲まれる半月形前部面に配設する複数の穴に、フィルターユニットに配設する複数の突起ピンを挿嵌することによって前記ミラーボックスの前面開口を覆うように前記フィルターユニットが密着構設できて防塵機能を有し、当該フィルターユニットは前記マウント開口部から着脱可能としたので、フィルターを着設することにより光学フィルターの役割を果たしながら、ミラーボックス内の気密性が高まり、レンズ交換時における塵埃侵入を防止することが可能であり、事前に内部の塵埃を排除しておけばメインミラーの揺動運動で生じる塵埃の移動、フィルター面付着などの不具合が無くなるし、万が一塵埃が付着しても、その清掃が容易となる。
【発明を実施するための最良の形態】
【００１０】
以下、図面等を参照して本発明の最も良好な実施形態を説明する。
【００１１】
図１は本発明におけるデジタル一眼レフカメラのフィルター装置の撮影レンズ装着時における概略断面図で、図２は本発明のフィルターユニットが嵌着可能なミラーボックスの斜視図であり、図３はマウント開口部から着脱可能なフィルターユニットの様子を示した斜視図である。
【００１２】
図１に示すように交換可能なレンズシステムを有するデジタル一眼レフカメラはマウント３に装着する撮影レンズ２の光軸１を中心に透過した被写体光をミラーボックス５に揺動可能に設置したメインミラー６によって約垂直方向に全反射してフォーカシングスクリーン７に結像させ、この被写体結像をペンタプリズム８を通して接眼レンズ９から正立実像として観察できるファインダー機構を有しているのが特徴で、撮影動作時以外は接眼レンズ９からアイレベルで被写体像が視認できる。
【００１３】
撮影時はメインミラー６がヒンジ軸６ａを中心軸として回転上昇して被写体光路から退避せしめ、メインミラー６の後方に在るシャッター１０が開いて、シャッター１０の直後に設置する固体撮像素子１１に結像する被写体像の信号変換を行って撮影動作を終了するが、撮影終了後はシャッター１０を閉じて、メインミラー６を下方位置に戻して、ファインダーを観察位置に復元する。このように通常、撮影の瞬間だけ光路から退避させるメインミラー６のクイックリターン動作が行われるため、カメラ内部、特にミラーボックス５の内に気流が発生して、撮影レンズ２内及びカメラ内の塵埃がこの気流と共に舞い上がり固体撮像素子１１の表面に付着して画質に影響を与えていた。
【００１４】
このため、図２に示すようにミラーボックス５と図１に示す撮影レンズ２との間に生じる気流を遮断すると共に撮影レンズ２の交換時、塵埃がマウント３の開口から侵入するのを防ぐ目的から、被写体光を透過するフィルターガラス４ａとこれを保持する保持枠４ｂで構成するフィルターユニット４をミラーボックス５の前部に密着して固設可能にした。
【００１５】
ミラーボックス５の内部は立方形の空間を有し、２つの縦壁５ａと５ｂの間に図３のようにメインミラー６を設置し、該縦壁５ａ、５ｂにそれぞれ配設する穴５ｇにメインミラー６のヒンジ軸６ａを挿嵌して支持し、揺動可能にしているが、図２及び図３に示すようにミラーボックス５の前面において、マウント３の内側円周に沿った円弧部分と縦壁５ａと５ｂで構成される２つの半月状面５ｃ、５ｄがあり、ここに複数の穴５ｅと５ｆが配設されている。
【００１６】
ミラーボックス５の前部に固設するマウント３の開口直径よりも小さくて、中央に光学フィルター特性を有するフィルターガラス４ａとこれを周囲から保持するプラスチック成形の保持枠４ｂで構成するフィルターユニット４があって、その保持枠４ｂには複数の突起ピン４ｃと４ｄが形成されていて、前記ミラーボックス５の半月状面５ｃの穴５ｅに対して突起ピン４ｃが、半月状面５ｄの穴５ｆに対して突起ピン４ｄが嵌入可能であって、フィルターユニット４の突起ピン４ｃ及び４ｄをミラーボックス５の半月状面５ｃの穴５ｅ及び半月状面５ｄの穴５ｆに嵌入して挿着すればカメラの光軸１とフィルターガラス４ａの中心が合致し、ミラーボックス５の前部を覆い、ミラーボックス５内部の気密性を高めた密着構設が可能となる。
【００１７】
図１でフィルターユニット４をミラーボックス５の前部に密着構設した状態を示しているが通常、この状態では撮影レンズ２を含むカメラは外気とミラーボックス５の内部が遮断されていて外気からの塵埃侵入を防ぐことが可能であって、事前のミラーボックス５の内部清掃が完全ならばメインミラー６の揺動で塵埃の移動も無くなる。更に図３に示すようにフィルターユニット４はカメラのマウント３の開口部から脱着が可能であって、カメラから離脱することでフィルターガラス４ａに付着した塵埃の払拭ができ、ミラーボックス５内部の清掃が解体することなく可能である。
【００１８】
以上のフィルターユニット４は中央のフィルターガラス４ａがローパスフィルターや赤外カットフィルターなどの光学フィルター特性を有するものに防塵機能を持たせたものを説明してきたが防塵を単機能とした防塵フィルター装置として適応させ得ることは言うまでもない。
【図面の簡単な説明】
【００１９】
【図１】本発明におけるデジタル一眼レフカメラのフィルター装置の撮影レンズ装着時における概略断面図である。
【図２】本発明のフィルターユニットが嵌着可能なミラーボックスの斜視図である。
【図３】マウント開口部から着脱可能なフィルターユニットの様子を示した斜視図である。
【符号の説明】
【００２０】
１  光軸
２  撮影レンズ
３  マウント
４  フィルターユニット
５  ミラーボックス
６  メインミラー
７  フォーカシングスクリーン
８  ペンタプリズム
９  接眼レンズ
１０  シャッター
１１  固体撮像素子
【図１】
2006267749.tif 000003
【図２】
2006267749.tif 000004
【図３】
2006267749.tif 000005